(57)【要約】【課題】表示される画像の所定の領域のサイズを、表示領域の状態に適合させる【解決手段】表示領域を分割した分割表示領域に端末から受信した画像を表示する表示装置であって、前記分割表示領域は前記端末の各々に割り当てられており、前記端末の各々から画像を受信する受信部と、受信した画像の各々が所定の領域以上で共通する場合、受信した画像の少なくとも１つの一部を切り出すと判断する判断部と、前記判断部が画像を切り出すと判断した場合、切り出すと判断された一の画像を切り出し新たな画像を生成する生成部と、前記新たな画像を、前記一の画像を送信した端末に割り当てられている分割表示領域のサイズに合わせて表示するように制御を行う表示制御部と、を有する、表示装置が提供される。【選択図】図２
2017058811.tif 000002
【特許請求の範囲】
【請求項１】
表示領域を分割した分割表示領域に端末から受信した画像を表示する表示装置であって、
前記分割表示領域は前記端末の各々に割り当てられており、
前記端末の各々から画像を受信する受信部と、
受信した画像の各々が所定の領域以上で共通する場合、受信した画像の少なくとも１つの一部を切り出すと判断する判断部と、
前記判断部が画像を切り出すと判断した場合、切り出すと判断された一の画像を切り出し新たな画像を生成する生成部と、
前記新たな画像を、前記一の画像を送信した端末に割り当てられている分割表示領域のサイズに合わせて表示するように制御を行う表示制御部と、を有する、表示装置。
【請求項２】
前記判断部は、受信した画像の各々を比較し、前記所定の領域以上で共通するか否かを判断する請求項１に記載の表示装置。
【請求項３】
前記分割表示領域のサイズが所定のサイズを下回る場合、前記新たな画像が生成される、請求項１又は２に記載の表示装置。
【請求項４】
前記受信部は、一の端末から前記一の画像を受信し、他の端末から他の画像を受信し、
前記新たな画像は、前記一の画像の前記他の画像と異なる領域の画像である、請求項１乃至３のいずれか一項に記載の表示装置。
【請求項５】
前記新たな画像は、前記一の画像の中で所定の属性により特定される領域である、請求項４に記載の表示装置。
【請求項６】
前記所定の属性は、表示範囲を特定するタグ、アプリケーションの表示範囲を特定する情報、又は文書の所定の範囲を特定する情報である請求項５の表示装置。
【請求項７】
前記表示制御部は、
前記分割表示領域を、１つの表示領域に変更し、
前記１つの表示領域に変更されたときに、前記一の画像又は前記他の画像のいずれかを表示するように制御を行う請求項４乃至６のいずれか一項に記載の表示装置。
【請求項８】
前記新たな画像は、前記一の画像の複数の領域から生成される、請求項４乃至７のいずれか一項に記載の表示装置。
【請求項９】
前記判断部が前記他の画像から一部を切り出すと判断した場合、前記生成部は、前記他の画像の一部を切り出し新たな画像を生成し、
前記表示制御部は、
前記一の画像から生成された新たな画像と、前記他の画像から生成された新たな画像との縦横比に応じて、前記分割表示領域の各々のサイズを調整する請求項４乃至８のいずれか一項に記載の表示装置。
【請求項１０】
端末と、表示領域を分割した分割表示領域に前記端末から受信した画像を表示する表示装置とを有する表示システムであって、
前記分割表示領域は前記端末の各々に割り当てられており、
前記端末の各々から画像を受信する受信部と、
受信した画像の各々が所定の領域以上で共通する場合、受信した画像の少なくとも１つの一部を切り出すと判断する判断部と、
前記判断部が画像を切り出すと判断した場合、切り出すと判断された一の画像を切り出し新たな画像を生成する生成部と、
前記新たな画像を、前記一の画像を送信した端末に割り当てられている分割表示領域のサイズに合わせて表示するように制御を行う表示制御部と、を有する、表示システム。
【請求項１１】
前記端末、又は前記表示装置が前記生成部を有する、請求項１０に記載の表示システム。
【請求項１２】
表示領域を分割した分割表示領域に端末から受信した画像を表示する表示装置に実行させるプログラムであって、
前記分割表示領域は前記端末の各々に割り当てられており、
前記端末の各々から画像を受信するステップと、
受信した画像の各々が所定の領域以上で共通する場合、受信した画像の少なくとも１つの一部を切り出すと判断するステップと、
受信した画像を切り出すと判断された場合、切り出すと判断された一の画像を切り出し新たな画像を生成するステップと、
前記新たな画像を、前記一の画像を送信した端末に割り当てられている分割表示領域のサイズに合わせて表示するように制御を行うステップと、を表示装置に実行させるプログラム。
【発明の詳細な説明】
【技術分野】
【０００１】
本発明は、表示装置、表示システム、及びプログラムに関する。
【背景技術】
【０００２】
プロジェクタ等の表示装置において、複数の端末から画像を受信し、受信した画像を、分割された表示領域の各々に表示することが行われている。例えば、表示装置は、表示領域を第１の表示領域と、第２の表示領域に分割し、第１の端末から受信した第１の画像を第１の表示領域に、第２の端末から受信した第２の画像を第２の表示領域に表示する。かかる表示の方法によれば、受信した複数の画像の全体が、分割された表示領域に表示されるため、表示領域のサイズによっては表示されている複数の画像を比較し難いという課題があった。
【０００３】
この課題を解決するため、端末から、所定の領域を拡大した画像を送信し、表示装置が、かかる拡大した画像を表示することが提案されている（例えば、特許文献１）。
【発明の概要】
【発明が解決しようとする課題】
【０００４】
しかしながら、従来の方法では、端末側で拡大した画像を生成しているため、表示装置は表示領域の状態に合わせて、表示させる画像の所定の領域のサイズを変更することは困難であった。
【０００５】
本発明は、上記の点に鑑みてなされたものであり、表示される画像の所定の領域のサイズを、表示領域の状態に適合させることを目的とする。
【課題を解決するための手段】
【０００６】
一つの案では、表示領域を分割した分割表示領域に端末から受信した画像を表示する表示装置であって、前記分割表示領域は前記端末の各々に割り当てられており、前記端末の各々から画像を受信する受信部と、受信した画像の各々が所定の領域以上で共通する場合、受信した画像の少なくとも１つの一部を切り出すと判断する判断部と、前記判断部が画像を切り出すと判断した場合、切り出すと判断された一の画像を切り出し新たな画像を生成する生成部と、前記新たな画像を、前記一の画像を送信した端末に割り当てられている分割表示領域のサイズに合わせて表示するように制御を行う表示制御部と、を有する、表示装置が提供される。
【発明の効果】
【０００７】
一態様によれば、表示される画像の所定の領域のサイズを、表示領域の状態に適合させることが可能となる。
【図面の簡単な説明】
【０００８】
【図１】第１の実施形態に係る表示システムの一例を示す図である。
【図２】第１の実施形態に係る表示装置の表示領域の一例を示す図である。
【図３】第１の実施形態に係る表示装置のハードウェア構成の一例を示す図である。
【図４】第１の実施形態に係る表示システムの機能構成の一例を示す図である。
【図５】第１の実施形態に係る切り出し範囲指定部による、切り出し範囲の一例（その１）を示す図である。
【図６】第１の実施形態に係る切り出し範囲の一例（その２）を示す図である。
【図７】第１の実施形態に係る表示領域のレイアウトの一例を示す図である。
【図８】第１の実施形態に係る全画面と、分割画面表示との切り替えの様子の一例を示す図である。
【図９】第１の実施形態に係るサイズ調整の一例を示す図である。
【図１０】第１の実施形態に係る記憶部が記憶する情報の一例を示す図である。
【図１１】第１の実施形態に係る動作シーケンスの一例である。
【図１２】第１の実施形態に係る分割表示領域の一例を示す図である。
【図１３】第１の実施形態に係るフローチャートの一例（その１）を示す図である。
【図１４】第１の実施形態に係るフローチャートの一例（その２）を示す図である。
【図１５】第２の実施形態に係る機能構成の一例を示す図である。
【図１６】第２の実施形態に係る動作シーケンスの一例を示す図である。
【発明を実施するための形態】
【０００９】
［第１の実施形態］
＜システム構成＞
図１は、第１の実施形態に係る表示システム１の一例を示す図である。表示システム１は、表示装置１０と、端末２０とを有する。表示装置１０と端末２０はネットワーク２を介して接続される。ネットワーク２は、有線のネットワークと、無線のネットワークとを有してもよい。
【００１０】
表示装置１０は、例えば、プロジェクタ、又はディスプレイ等の画像を受信して表示する機能を有する機器である。なお、画像は、静止画、動画のいずれでもよい。
【００１１】
端末２０は、例えば、ＰＣ（Ｐｅｒｓｏｎａｌ  Ｃｏｍｐｕｔｅｒ）、スマートフォン、又はタブレット端末等である。
【００１２】
表示装置１０と端末２０とは、ネットワーク２を介して、信号の送受信をする。端末２０は、表示装置１０に画像を送信する。表示装置１０は、受信した画像を表示する。表示装置１０は、複数の端末２０の各々から画像を受信し、受信した画像を表示する。
【００１３】
図２は、第１の実施形態に係る表示装置１０の表示領域３０の一例を示す図である。表示装置１０は、表示領域３０に端末２０から受信した画像を表示する。
【００１４】
図２の（１）は、表示装置１０が、端末２０Ａから画像を受信し、表示領域３０の全体３０１に受信した画像を表示する様子を示す図である。１つの端末２０から画像を受信した場合、表示装置１０は、かかる画像を表示領域３０の全体に表示する。
【００１５】
図２の（２）は、表示装置１０が、端末２０Ａ、端末２０Ｂ、端末２０Ｃ、及び端末２０Ｄから画像を受信し、表示領域３０に受信した画像を表示する様子を示す図である。
【００１６】
表示装置１０は、表示領域３０を分割して、複数の端末２０の各々から受信した画像を表示する。複数の端末２０から画像を受信した場合、表示装置１０は、受信した画像の各々を表示できるように、表示領域３０を分割して生成された分割表示領域３０２に、受信した画像の各々を表示する。図２の（２）では、分割表示領域３０２Ａに端末２０Ａから受信した画像が表示され、分割表示領域３０２Ｂに端末２０Ｂから受信した画像が表示され、分割表示領域３０２Ｃに端末２０Ｃから受信した画像が表示され、分割表示領域３０２Ｄに端末２０Ｄから受信した画像が表示されている。
【００１７】
図２の（２）のように表示すると、個々の画像の表示サイズが小さくなり、画像を確認し難くなる場合がある。また、受信した複数の画像の特定の領域同士を比較したい場合にも、個々の画像の表示サイズが小さいため比較が困難となる場合がある。表示装置１０は、受信した画像の各々が所定の領域以上で共通する場合、受信した画像の一部をそれぞれの分割表示領域３０２に表示してもよい。図２の（３）は、表示装置１０が、複数の端末２０から受信した画像の一部を表示領域３０に表示している様子を示す図である。
【００１８】
教育現場等において、生徒の問題に対する回答を比較する場合を例に説明する。表示装置１０は、生徒が使用する端末２０の各々から、画像を受信する。かかる画像には、問題と、問題に対する端末２０を使用する生徒の回答とが含まれる。表示装置１０は、受信した画像の所定領域以上で共通していると判断する。なお、この場合、共通している所定領域は、「問題」が表示される領域である。
【００１９】
表示装置１０は、受信した画像の一部を分割表示領域３０２に表示する。この際に、表示装置１０は、受信した画像の一部を、かかる画像用に割り当てられている分割表示領域３０２のサイズに合わせて表示する。図２の（３）の例では、受信した画像毎に異なる領域である回答部分が、かかる画像用に割り当てられている分割表示領域３０２に、拡大して表示される。具体的には、分割表示領域３０２Ａに、端末２０Ａから受信した画像の「回答」が拡大して表示される。分割表示領域３０２Ｂに、端末２０Ｂから受信した画像の「回答」が拡大して表示される。分割表示領域３０２Ｃに、端末２０Ｃから受信した画像の「回答」が拡大して表示される。分割表示領域３０２Ｄに、端末２０Ｄから受信した画像の「回答」が拡大して表示される。
【００２０】
なお、表示装置１０は、端末２０から受信した全ての画像について、一部の領域を拡大して表示しなくてもよい。例えば、表示装置１０は、端末２０Ａから受信した画像については、「問題」と「回答」とを含むようにそのまま表示し、他の端末２０から受信した画像については、画像の一部である「回答」を表示してもよい。
【００２１】
表示装置１０は、端末２０からパスワードを受信し、かかるパスワードが表示装置１０で記憶しているパスワードと一致する場合に、端末２０からの画像を取得し、表示する処理を行ってもよい。
【００２２】
＜ハードウェア構成＞
図３は、第１の実施形態に係る表示装置１０のハードウェア構成の一例を示す図である。
【００２３】
表示装置１０は、入力モジュール１０１、表示モジュール１０２、外部Ｉ／Ｆ１０３、ＲＡＭ（Ｒａｎｄｏｍ  Ａｃｃｅｓｓ  Ｍｅｍｏｒｙ）１０４、ＲＯＭ（Ｒｅａｄ  Ｏｎｌｙ  Ｍｅｍｏｒｙ）１０５、ＣＰＵ（Ｃｅｎｔｒａｌ  Ｐｒｏｃｅｓｓｉｎｇ  Ｕｎｉｔ）１０６、通信モジュール１０７、及びＨＤＤ（Ｈａｒｄ  Ｄｉｓｋ  Ｄｒｉｖｅ）１０８等を備え、それぞれがバスＢで相互に接続されている。
【００２４】
入力モジュール１０１は、キーボード、マウス、及びタッチパネル等を含み、ユーザが各操作信号を入力するのに用いられる。
【００２５】
表示モジュール１０２は、端末２０から受信した画像を投影するためのライト等の光源を有する。表示モジュール１０２は、ＣＰＵ１０６等により処理された画像を、表示する。
【００２６】
通信モジュール１０７は、表示装置１０をネットワーク２に接続する。表示装置１０は、通信モジュール１０７を介して端末２０との間で、データの送受信を行う。また、端末２０から画像を受信する。
【００２７】
ＨＤＤ１０８は、プログラム及びデータを格納している不揮発性の記憶装置である。格納されるプログラム及びデータは、例えば表示装置１０全体を制御する基本ソフトウェアであるＯＳ（Ｏｐｅｒａｔｉｎｇ  Ｓｙｓｔｅｍ）及び、ＯＳ上において各種機能を提供するアプリケーションソフトウェア等がある。
【００２８】
ＨＤＤ１０８は、格納しているプログラム及びデータを所定のファイルシステム及び／又はＤＢ（データベース）により管理している。
【００２９】
外部Ｉ／Ｆ１０３は、外部の装置とのインタフェースである。外部の装置には、記録媒体１０３ａ等がある。これにより、表示装置１０は、外部Ｉ／Ｆ１０３を介して記録媒体１０３ａの読み取り及び／又は書き込みを行うことができる。
【００３０】
記録媒体１０３ａには、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＳＤメモリカード（ＳＤ  Ｍｅｍｏｒｙ  ｃａｒｄ）、及びＵＳＢメモリ（Ｕｎｉｖｅｒｓａｌ  Ｓｅｒｉａｌ  Ｂｕｓ  ｍｅｍｏｒｙ）等がある。
【００３１】
ＲＯＭ１０５は、電源を切ってもプログラム及びデータを保持することができる不揮発性の半導体メモリ（記憶装置）である。ＲＯＭ１０５は、表示装置１０の起動時に実行されるＢＩＯＳ（Ｂａｓｉｃ  Ｉｎｐｕｔ／Ｏｕｔｐｕｔ  Ｓｙｓｔｅｍ）、ＯＳ設定、及びネットワーク設定等のプログラム及びデータを格納する。
【００３２】
ＲＡＭ１０４は、プログラム及びデータを一時保持する揮発性の半導体メモリ（記憶装置）である。
【００３３】
ＣＰＵ１０６は、ＲＯＭ１０５及びＨＤＤ１０８等の記憶装置からプログラム及びデータをＲＡＭ１０４上に読み出し、処理を実行することで、表示装置１０全体の制御と、機能とを実現する演算装置である。
【００３４】
表示装置１０は、ＣＰＵ１０６が、ＲＯＭ１０５等に格納されたプログラムを実行することにより、後述するような各種機能を実現できる。端末２０も、表示モジュール１０２が通常のディスプレイである点以外は、表示装置１０と同様のハードウェア構成を有する。
【００３５】
＜機能構成＞
図４は、第１の実施形態に係る表示システム１の機能構成の一例を示す図である。図４を用いて、表示装置１０、及び端末２０の機能構成について説明する。
【００３６】
（１）表示装置
表示装置１０は、表示部１１０、切り出し部１２０、切り出し範囲指定部１３０、通信部１４０、レイアウト部１５０、切り替え部１６０、サイズ調整部１７０、記憶部１８０、制御部１９０、及び入力部１９５を有する。
【００３７】
表示装置１０の各機能は以下のように連携する。表示領域を分割した分割表示領域３０２に端末から受信した画像を表示する表示装置１０は、分割表示領域３０２を端末２０の各々に割り当てる。表示装置１０は、端末２０の各々から画像を受信する通信部１４０と、受信した画像の各々が所定の領域以上で共通する場合、受信した画像の少なくとも１つの一部を切り出すと判断する切り出し部１２０と、切り出し部１２０が画像を切り出すと判断した場合、切り出し範囲指定部１３０が、切り出すと判断された一の画像を切り出し新たな画像を生成する。そして、レイアウト部１５０が、生成された新たな画像を、一の画像を送信した端末２０に割り当てられている分割表示領域３０２のサイズに合わせて表示するように制御する。
表示装置１０の各機能は以下のように連携してもよい。通信部１４０は、端末２０Ａから第１の画像を受信し、端末２０Ｂから第２の画像を受信する。切り替え部１６０は、表示領域３０を分割表示領域３０２Ａと分割表示領域３０２Ｂとを含む複数の領域に分割し、表示部１１０は、第１の画像又は第１の画像の一部である第３の画像を分割表示領域３０２Ａに表示し、第２の画像又は第２の画像の一部である第４の画像を分割表示領域３０２Ｂに表示する。
【００３８】
第１の画像と、第２の画像とが、所定の領域以上で共通する場合、表示部１１０は、第３の画像、及び第４の画像の少なくともいずれかの画像を、該画像に対応する分割表示領域３０２に、表示する。第３の画像、又は第４の画像を表示するときに、表示部１１０は、分割表示領域３０２のサイズに合わせて表示する。
【００３９】
具体的には、各機能は以下の機能を有する。
【００４０】
表示部１１０は、レイアウト部１５０等からの指示に基づいて、複数の端末２０の各々から受信した画像を分割表示領域３０２のサイズに合わせて表示する。
【００４１】
切り出し部１２０は、端末２０から受信した画像の各々について切り出しの要否を判断する。端末２０Ａから切り出し部１２０は、端末２０Ａから第１の画像を受信し、端末２０Ｂから第２の画像を受信すると、第１の画像を切り出して、第１の画像の一部である第３の画像を生成する必要があるか否かを判断する。切り出し部１２０は、複数の端末２０から画像を受信したときに、画像の切り出しの要否を判断してもよい。
【００４２】
切り出し部１２０は、第１の画像と第２の画像とが、所定の領域以上で共通する場合、第１の画像を切り出して、第１の画像の一部である第３の画像を生成する。切り出し部１２０は、複数の端末２０から受信した複数の画像の一部についてのみ、一部の画像を切り出してもよいし、全ての画像について、一部の画像を切り出してもよい。具体的には、切り出し部１２０は、受信した画像の各々を比較することにより、所定の領域以上で共通するか否かを判断する。
【００４３】
なお、ここで共通するとは、第１の画像と第２の画像とが所定の領域において完全に一致する場合は勿論のこと、所定の割合以上の場合で一致する場合であっても、切り出し部１２０は、所定の領域で第１の画像と第２の画像とが共通すると判断してもよい。例えば、第１の画像と第２の画像の画素値が、所定の領域において８０％以上同じの場合、切り出し部１２０は、所定の領域で第１の画像と第２の画像とが共通すると判断してもよい。或いは、第１の画像と第２の画像の有する所定の領域におけるタグ情報等が共通する場合、切り出し部１２０は、所定の領域で第１の画像と第２の画像とが共通すると判断してもよい。
【００４４】
切り出し部１２０は端末２０Ａから受信した画像を表示する領域である分割表示領域３０２Ａが所定のサイズを下回る場合に、第３の画像を生成してもよい。分割表示領域３０２Ａが所定のサイズを下回るときに、端末２０Ａから受信した画像をそのまま分割表示領域３０２Ａに表示した場合、表示された画像がみにくくなるおそれがあるためである。
【００４５】
切り出し範囲指定部１３０は、切り出し部１２０が画像を切り出す必要があると判断した画像の各々の切り出す範囲を指定する。
【００４６】
第１の画像を切り出す場合、切り出し範囲指定部１３０は、切り出し部１２０が特定した複数の画像で共通する領域に関する情報を用いて、切り出す範囲を決定する。切り出し範囲指定部１３０は、第２の画像と異なる部分を切り出し、第３の画像としてもよい。切り出し範囲指定部１３０は、端末２０から受信した画像の一部を切り出し、新たな画像を生成している。
【００４７】
図５は、切り出し範囲指定部１３０による、切り出し範囲の一例（その１）を示す図である。
【００４８】
第１の画像から切り出しを開始する座標（Ｘ座標、Ｙ座標）、切り出し領域の幅サイズＷｉｄｔｈ、及び切り出し領域の高さサイズＨｅｉｇｈｔを用いて、切り出し範囲指定部１３０は、第３の画像となる第１の画像の範囲を指定してもよい。
【００４９】
切り出し範囲指定部１３０は、受信した画像の属性、具体的には、受信した画像に含まれる領域タグの情報、アプリケーションの表示範囲を特定する情報、又は文書の所定の範囲を特定する情報を用いて画像の範囲を指定してもよい。例えば、受信した画像の領域を、ｈｔｍｌ、又はＸＭＬ等のタグ情報を用いて特定してもよい。
【００５０】
図６は、第１の実施形態に係る切り出し範囲の一例（その２）を示す図である。
【００５１】
切り出し範囲指定部１３０は、第１の画像の複数の範囲を切り出す範囲として決定してもよい。図６に示すように、切り出し範囲指定部１３０は、第１の画像の領域１と、領域２とを切り出して第３の画像としてもよい。
【００５２】
通信部１４０は、端末２０とデータの送受信をする。また、通信部１４０は、端末２０から画像を受信し、制御部１９０の指示に従って、受信した画像を表示装置１０の各機能に転送する。
【００５３】
レイアウト部１５０は、表示領域３０が分割されて形成される分割表示領域３０２の配置と、各分割表示領域３０２に、いずれの端末２０から受信した画像を表示するかを決定する。
【００５４】
切り替え部１６０が多画面表示で表示領域３０に画像を表示すると判断したときに、レイアウト部１５０は、分割表示領域３０２の配置と、各分割表示領域３０２に表示する画像を決定する。レイアウト部１５０は、かかる決定を表示部１１０に通知し、表示部１１０に、決定に従って、各分割表示領域３０２のサイズに合わせて画像を表示することを指示する。表示部１１０は、決定に従って、画像を表示する。
【００５５】
図７は、表示領域３０のレイアウトの一例を示す図である。図７では、レイアウト部１５０は、端末２０Ａから受信した画像を分割表示領域３０２Ａに表示すること、端末２０Ｂから受信した画像を分割表示領域３０２Ｂに表示すること、端末２０Ｃから受信した画像を分割表示領域３０２Ｃに表示すること、及び端末２０Ｄから受信した画像を分割表示領域３０２Ｄに表示することを決定し、表示部１１０にかかる決定に従って、画像を表示することを指示する。図７の（１）及び（２）に示すように、レイアウト部１５０が分割表示領域３０２の各々に、いずれの端末２０Ａから受信した画像を割り当てるかは、変更可能である。レイアウト部１５０は、入力部１９５がユーザから受け付けた指示、又は端末２０から受信した指示に基づいて、分割表示領域３０２に表示する画像を決定してもよい。
【００５６】
切り出し範囲指定部１３０により端末２０から受信した画像の一部が切り出され新たな画像が生成された場合、レイアウト部１５０は、新たに生成された画像を分割表示領域３０２に割り当てる。レイアウト部１５０は、分割表示領域３０２に割り当てられた新たに生成された画像を、表示することを表示部１１０に指示する。
【００５７】
レイアウト部１５０は、新たに生成される画像の縦横比（アスペクト比）を基に、分割表示領域３０２のレイアウト及びサイズを決定してもよい。例えば、図７の（３）に示すように、レイアウト部１５０は、横長の長方形型の分割表示領域３０２を形成してもよい。
【００５８】
切り替え部１６０は、表示領域３０の全体３０１に画像を表示する全画面表示と、分割表示領域３０２に画像を表示する分割画面表示とを切り替える。かかる、切り替えは、入力部１９５がユーザから受け付けた指示、又は端末２０から受信した指示に基づいて実行されてもよい。
【００５９】
図８は、第１の実施形態に係る全画面と、分割画面表示との切り替えの様子の一例を示す図である。
【００６０】
切り替え部１６０は、受け付けた指示に基づいて、いずれの分割表示領域３０２に割り当てられている画像を表示領域３０の全体３０１に表示するか判断する。分割画面表示から全画面表示に切り替えるときに、切り替え部１６０は、切り出されていない画像を、全画面表示にしてもよい。
【００６１】
サイズ調整部１７０は、レイアウト部１５０と連携して、分割表示領域３０２のサイズを調整する。
【００６２】
図９は、第１の実施形態に係るサイズ調整の一例を示す図である。サイズ調整部１７０は、入力部１９５がユーザから受け付けた指示、又は端末２０から受信した指示に基づいて分割表示領域３０２の拡大、又は縮小を実行する。図９の例では、サイズ調整部１７０が、分割表示領域３０２Ａを拡大し、他の分割表示領域３０２（Ｂ、Ｃ、Ｄ）を縮小する例を示している。サイズ調整部１７０が、レイアウト部１５０と連携してサイズの調整を実行した後に、レイアウト部１５０は、調整結果に基づいて画像を表示することを、表示部１１０に指示する。
【００６３】
記憶部１８０は、端末２０から受信した画像、端末２０から受信した画像が割り当てられた分割表示領域３０２、端末２０から受信した画像の切り出し範囲を対応付けて記憶する。
【００６４】
図１０は、第１の実施形態に係る記憶部１８０が記憶する情報の一例を示す図である。端末２０のＩＤの欄に画像を受信した端末２０の識別子が、設定される。端末２０の識別子は、端末２０を一意に特定できればよく、形式等に限定はない。例えば、ＭＡＣアドレスが端末２０の識別子に用いられてもよい。受信画像の欄には、通信部１４０が端末２０から受信した画像の情報が設定される。分割表示領域３０２の欄には、レイアウト部１５０が端末２０毎に割り当てた分割表示領域３０２を特定する情報が設定される。切り出し範囲の欄には、切り出し範囲指定部１３０が指定した切り出し範囲が設定される。切り出し範囲の欄には、画像のタグ情報が設定されてもよい。記憶部１８０は、切り出し範囲から特定される新たに生成された画像を記憶してもよい。
【００６５】
レイアウト部１５０から表示領域３０の表示に関する指示を受けたときに、表示部１１０は、記憶部１８０が記憶している情報を参照して表示内容を決定してもよい。
【００６６】
制御部１９０は、各機能の処理を調整すると共に、各機能に対する指示を行う。
【００６７】
入力部１９５は、表示装置１０のユーザから表示等に関する各種指示を受け付け、受け付けた内容を制御部１９０等、関連する機能に通知する。
【００６８】
（２）端末
端末２０は、画像生成部２１０、通信部２２０、入出力部２３０、及び制御部２４０を有する。
【００６９】
画像生成部２１０は、表示装置１０で表示する画像を生成する。通信部２２０は、生成された画像を表示装置１０に送信する。また、表示装置１０からの信号を受信して、受信した信号を制御部２４０に通知する。入出力部２３０は、端末２０のユーザからの各種指示を受け付ける。制御部２４０は各機能の処理を調整すると共に、各機能に対する指示を行う。
【００７０】
＜動作手順＞
（１）動作シーケンス
図１１は、第１の実施形態に係る動作シーケンスの一例である。
【００７１】
ステップＳ１１０１で、端末２０Ａの画像生成部２１０は、生成した画像を通信部２２０に送信する。
【００７２】
ステップＳ１１０２で、端末２０Ａの通信部２２０は、画像を表示装置１０に送信する。
【００７３】
ステップＳ１１０及びステップＳ１１０４は、ステップＳ１１０１及びステップＳ１１０２と同じである。端末２０Ｂは、表示装置１０に画像を送信する。
【００７４】
ステップＳ１１０５で、表示装置１０の切り出し部１２０は、通信部１４０が受信した端末２０Ａから送信された画像を取得する。
【００７５】
ステップＳ１１０６で、表示装置１０の切り出し部１２０は、通信部１４０が受信した端末２０Ｂから送信された画像を取得する。
【００７６】
切り出し部１２０は全ての端末２０から送信された画像を取得し、切り出しの要否について判断する。切り出し部１２０は、レイアウト部１５０から、表示領域３０及び分割表示領域３０２の情報を取得して判断をしてもよい。
【００７７】
ステップＳ１１０７で、切り出し部１２０は、受信した画像の各々の切り出しの要否を判断する。例えば、切り出し部１２０は、分割表示領域３０２が所定のサイズを下回る場合に画像の切り出しが必要と判断してもよい。また、受信した画像の各々の所定以上の領域が共通する場合、切り出し部１２０は、画像の切り出しが必要と判断してもよい。
【００７８】
ステップＳ１１０８で、切り出し部１２０は、切り出し範囲指定部１３０に、切り出しが必要と判断した画像について、かかる画像の切り出し範囲の指定を指示する。
【００７９】
ステップＳ１１０９で、切り出し範囲指定部１３０は、画像の切り出し範囲を指定する。
【００８０】
例えば、切り出し範囲指定部１３０は、受信した画像の各々の異なる領域を切り出してもよい。或いは、受信した画像に含まれる領域タグの情報等に基づいて、切り出す範囲を決定してもよい。切り出し範囲指定部１３０は、切り出す範囲を決定し、新たに生成された画像を生成する。
【００８１】
ステップＳ１１１０で、レイアウト部１５０は、新たに生成された画像のレイアウトを決定する。具体的には、レイアウト部１５０は、分割表示領域３０２の表示領域３０における位置とサイズを決定し、さらに、各分割表示領域３０２に表示する画像を決定する。
【００８２】
ステップＳ１１１２で、表示部１１０は、レイアウト部１５０から表示の指示を受信する。表示の指示には、レイアウトに関する指示に加えて、新たに生成された画像を含んでもよい。
【００８３】
ステップＳ１１１３で、表示部１１０は、画像を表示する。なお、表示部１１０は、新たに生成された画像を記憶部１８０から取得してもよい。
【００８４】
なお、レイアウト部１５０は、新たに生成される画像の縦横比（アスペクト比）を基に、分割表示領域３０２のレイアウトを決定する。図１２は、第１の実施形態に係る分割表示領域３０２の一例を示す図である。
【００８５】
例えば、切り出し範囲指定部１３０により図１２（１）の点線で囲まれた部分が新たな画像として生成されたときに、図１２（２）のように表示領域３０を２行２列に分割した場合、新たな画像の縦横比を考慮すると、新たな画像を拡大して表示することができない。この場合、レイアウト部１５０は、縦横比を基に分割表示領域３０２を図１２（３）のように設定し、設定された分割表示領域３０２の各々のサイズに合わせて新たな画像を拡大して表示するように表示部１１０に指示してもよい。
【００８６】
（２）フローチャート（その１）
図１３は、第１の実施形態に係るフローチャートの一例（その１）を示す図である。
【００８７】
ステップＳ１３０１で、表示装置１０は端末２０からの画像の受信を待つ。
【００８８】
ステップＳ１３０２で、通信部１４０は、表示装置１０に接続中の全ての端末から画像を受信したか否かを判断する。全ての端末２０から画像を受信した場合、ステップＳ１３０３に進む。一方、全ての端末２０から画像を受信していない場合、ステップＳ１３０１に戻る。
【００８９】
ステップＳ１３０３で、切り出し部１２０は、端末２０の各々から受信した画像を比較し、画像の切り出しが必要と判断する。例えば、端末２０は受信した画像各々が所定の領域以上で共通する場合、画像の切り出しが必要と判断する。
【００９０】
ステップＳ１３０４で、切り出し部１２０は、切り出し範囲指定部１３０に画像の切り出しを指示し、切り出し範囲指定部１３０は、切り出す範囲を決定し、新たな画像を生成する。例えば、切り出し範囲指定部１３０は、受信した画像各々の異なる領域を切り出し新たな画像を生成してもよい。
【００９１】
（３）フローチャート（その２）
図１４は、第１の実施形態に係るフローチャートの一例（その２）を示す図である。
【００９２】
ステップＳ１４０１で、表示装置１０の切り出し部１２０は、画像を切り出す判断を開始する。
【００９３】
ステップＳ１４０２で、切り出し部１２０は、多画面表示中か否かを判断する。多画面表示中の場合、ステップＳ１４０３に進む。一方、全画面表示中の場合、処理を終了する。
【００９４】
ステップＳ１４０３で、判断対象の画像が表示される分割表示領域３０２が所定のサイズを越えているか否かの判断を行う。所定のサイズを超えている場合、ステップＳ１４０４に進む。一方、所定のサイズを超えていない場合、処理を終了する。
【００９５】
ステップＳ１４０４で、切り出し部１２０は、切り出し範囲指定部１３０に画像の切り出し範囲の指定を指示する。切り出し範囲指定部１３０は、画像の切り出し範囲を決定し、画像を切り出し、新たな画像を生成する。
【００９６】
［第２の実施形態］
次に第２の実施形態について説明する。第１の実施形態と共通する部分については説明を省略し、異なる部分についてのみ説明する。
【００９７】
＜機能構成＞
図１５は、第２の実施形態に係る機能構成の一例を示す図である。図１５を用いて、第２の実施形態に係る表示装置１０、及び端末２０の機能構成について説明する。
【００９８】
（１）表示装置
第２の実施形態に係る表示装置１０は、切り出し範囲の指定を表示装置１０の切り出し範囲指定部１３０が実行してもよいし、端末２０から切り出し範囲の指定の通知を受けてもよい。
【００９９】
切り出し部１２０は、端末２０から受信した画像を切り出す必要があると判断した場合、かかる画像を送信した端末２０に、画像の切り出し範囲の指定を指示する。
【０１００】
切り出し部１２０は、通信部１４０を介して、かかる指示の応答を端末２０から受信する。応答には、画像の切り出し範囲を指定する情報、及び／又は切り出されて新たに生成された画像を含む。
【０１０１】
端末２０からの応答を受信すると、切り出し部１２０は、レイアウト部１５０に範囲を指定された画像を分割表示領域３０２に表示することを指示する。
【０１０２】
なお、画像の切り出し範囲を指定する情報のみを受信した場合、切り出し部１２０は、記憶部１８０を参照し、切り出し範囲を指定する情報から新たな画像を生成してもよい。
【０１０３】
（２）端末
第２の実施形態に係る端末２０は、切り出し範囲指定部２５０を有する。切り出し範囲指定部２５０は、表示装置１０から画像の切り出し範囲の指定の指示を、通信部２２０を介して受信する。かかる指示に応じて、切り出し範囲指定部２５０は、画像の切り出し範囲を指定する。例えば、端末２０は、画像に含まれる領域タグの情報等に基づいて、切り出す範囲を決定してもよい。
【０１０４】
切り出し範囲指定部２５０は、切り出す範囲を指定する情報、及び／又は切り出されて新たに生成された画像を、通信部２２０を介して、表示装置１０に送信する。
【０１０５】
＜動作手順＞
図１６は、第２の実施形態に係る動作シーケンスの一例を示す図である。
【０１０６】
ステップＳ１６０１の前に、ステップＳ１１０１乃至ステップＳ１１０７と同じ処理が実行される。
【０１０７】
ステップＳ１６０１で、表示装置１０の切り出し部１２０は、通信部１４０を介して、端末２０Ａに画像の範囲指定の指示を送信する。
【０１０８】
ステップＳ１６０２で、かかる指示を受信すると、端末２０Ａの切り出し範囲指定部２５０は、画像の切り出し範囲を指定する。かかる範囲は、画像に含まれる領域タグの情報等に基づいて決定されてもよい。
【０１０９】
ステップＳ１６０３とステップＳ１６０４は、ステップＳ１６０１及びステップＳ１６０２と同じである。同様の手順が表示装置１０と端末２０Ｂとの間で実行される。
【０１１０】
ステップＳ１６０５で、端末２０Ａの切り出し範囲指定部２５０は、通信部２２０を介して応答を送信する。かかる応答には、切り出す範囲を指定する情報、及び／又は切り出されて新たに生成された画像を含む。
【０１１１】
ステップ１６０６は、ステップＳ１６０５と同様である。同様の手順が表示装置１０と端末２０Ｂとの間で実行される。
【０１１２】
ステップＳ１６０７で、表示装置１０の切り出し部１２０は、端末２０を介して応答を受信すると、レイアウト部１５０に、切り出されて新たに生成された画像を通知する。
【０１１３】
なお、端末２０の応答に、切り出されて新たに生成された画像が含まれない場合、切り出し部１２０は、記憶部１８０に記憶されている画像と、応答に含まれる切り出す範囲を指定する情報とから、新たな画像を生成する。
【０１１４】
ステップＳ１６０８乃至ステップＳ１６１０は、ステップＳ１１１１乃至ステップＳ１１１３と同様であるため、説明を省略する。
【０１１５】
＜その他＞
記憶部１８０は、ネットワーク２上に配備された装置上に実装されてもよい。この場合、表示装置１０は、記憶部１８０から各種情報を取得する。
【０１１６】
通信部１４０は、受信部の一例である。通信部２２０は、送信部の一例である。切り出し部１２０は、判断部の一例である。切り出し範囲指定部１３０と画像生成部２１０は、生成部の一例である。レイアウト部１５０は、表示制御部の一例である。第１の画像は、一の画像の一例である。第２の画像は、他の画像の一例である。第３の画像は、一の画像から生成される新たな画像の一例である。第４の画像は、他の画像から生成される新たな画像の一例である。
【０１１７】
上述した実施の形態の機能を実現するソフトウェアのプログラムコードを記録した記憶媒体を、表示装置１０、及び端末２０に供給してもよい。そして、表示装置１０及び端末２０が、記憶媒体に格納されたプログラムコードを読み出し実行することによっても、上述の実施形態が、達成されることは言うまでもない。この場合、記憶媒体から読み出されたプログラムコード自体が前述した実施形態の機能を実現することになり、そのプログラムコードを記憶した記憶媒体は、いずれかの実施の形態を構成することになる。ここで、記憶媒体は、記録媒体または非一時的な記憶媒体である。
【０１１８】
また、コンピュータ装置が読み出したプログラムコードを実行することにより、前述した実施形態の機能が実現されるだけではない。そのプログラムコードの指示に従って、コンピュータ装置上で動作しているオペレーティングシステム（ＯＳ）等が実際の処理の一部または全部を行ってもよい。さらに、その処理によって前述した実施形態の機能が実現されてもよいことは言うまでもない。
【０１１９】
以上、本発明の好ましい実施形態について説明したが、本発明はこうした実施形態に限定されるものではなく、本発明の要旨を逸脱しない範囲内において種々の変形及び置換を加えることができる。
【符号の説明】
【０１２０】
１０  表示装置
２０  端末
３０  表示領域
１１０  表示部
１２０  切り出し部
１３０  切り出し範囲指定部
１４０  通信部
１５０  レイアウト部
１６０  切り替え部
１７０  サイズ調整部
１８０  記憶部
１９０  制御部
１９５  入力部
２１０  画像生成部
２２０  通信部
２３０  入出力部
２４０  制御部
２５０  切り出し範囲指定部
【先行技術文献】
【特許文献】
【０１２１】
【特許文献１】特開２００４-５４１３４号公報
【図１】
2017058811.tif 000003
【図２】
2017058811.tif 000004
【図３】
2017058811.tif 000005
【図４】
2017058811.tif 000006
【図５】
2017058811.tif 000007
【図６】
2017058811.tif 000008
【図７】
2017058811.tif 000009
【図８】
2017058811.tif 000010
【図９】
2017058811.tif 000011
【図１０】
2017058811.tif 000012
【図１１】
2017058811.tif 000013
【図１２】
2017058811.tif 000014
【図１３】
2017058811.tif 000015
【図１４】
2017058811.tif 000016
【図１５】
2017058811.tif 000017
【図１６】
2017058811.tif 000018